(57)【要約】【課題】複数種の振掛け食材を一つの容器で賄うことのできる使い勝手の良い振出し容器を提供する【解決手段】中軸から外周にかけて放射状に設けた間仕切り板１により複数の収容箱２が形成された円筒容器本体Ａと、該円筒容器本体Ａの天井部に密着して被せるキャップ体であってそれぞれの収容箱２の上部位置に該当する箇所に排出孔３が形成された中蓋Ｂと、該中蓋Ｂの外周及び上面を回し滑動可能状に覆い被せるキャップ体であって滑動により排出孔３の位置に重なる箇所により大きな１個の選択孔４が形成された上蓋Ｃとより成る振出し容器とする。また、中蓋Ｂの複数の排出孔３の近辺において、それぞれ異なる色柄ないし文字などの目印５を施す。【選択図】図２
0003113373.tif 000002
【実用新案登録請求の範囲】
【請求項１】
中軸から外周にかけて放射状に設けた間仕切り板１により複数の収容箱２が形成された円筒容器本体Ａと、該円筒容器本体Ａの天井部に密着して被せるキャップ体であってそれぞれの収容箱２の上部位置に該当する箇所に排出孔３が形成された中蓋Ｂと、該中蓋Ｂの外周及び上面を回し滑動可能状に覆い被せるキャップ体であって滑動により排出孔３の位置に重なる箇所により大きな１個の選択孔４が形成された上蓋Ｃとより成ることを特徴とする振出し容器。
【請求項２】
中蓋Ｂの複数の排出孔３の近辺において、それぞれ異なる色柄ないし文字などの目印５を施した請求項１記載の振出し容器。
【考案の詳細な説明】
【技術分野】
【０００１】この考案は、複数のふりかけ材や調味料などを一つの容器で使用することのできる振出し容器に関する。
【背景技術】
【０００２】各種ふりかけや粉末状調味料などを食事や調理の際に振り出すことのできるいわゆる振出し容器は、既に各種のものが市販され用いられているのは周知の通りである。その製品形態は一般的に、内容物を収容する容器本体の上部に振出し孔が設けられていて、非使用時にはそこをキャップが覆うようになっている。普通のキャップであればこれを外して使用することになるが、なかにはそのキャップの所定箇所にも孔が設けられていて、キャップを回すことによりその位置が振出し孔と重なり、外すことなく内容物を振出すことができるようにしたものもある。
【考案の開示】
【考案が解決しようとする課題】
【０００３】振りかけるようにして用いる食材は、実際には各種ふりかけや調味料、香辛料、或いは胡麻などかなりの複数種になるものである。これらについていちいち振出し容器を備えるのは煩雑であり、また不便でもある。そこでこれら複数種の食材を一つの容器に収め、かつ必要なものをその都度簡便に振り出すことができれば甚だ便利である。本考案はかかる観点から、複数種の振掛け食材を一つの容器で賄うことのできる使い勝手の良い振出し容器を提供することを課題とする。
【課題を解決するための手段】
【０００４】中軸から外周にかけて放射状に設けた間仕切り板１により複数の収容箱２が形成された円筒容器本体Ａと、該円筒容器本体Ａの天井部に密着して被せるキャップ体であってそれぞれの収容箱２の上部位置に該当する箇所に排出孔３が形成された中蓋Ｂと、該中蓋Ｂの外周及び上面を回し滑動可能状に覆い被せるキャップ体であって滑動により排出孔３の位置に重なる箇所により大きな１個の選択孔４が形成された上蓋Ｃとより成る振出し容器とする。【０００５】本考案の対象となる振出し容器は、事実上、プラスチック製円筒容器の如きものになるから、間仕切り板１は必然的に薄いプラスチック製縦板となり、これで区画形成される収容箱２の形状も、バウムクーヘンを切ったような略扇形（上から見て）ということになる。【０００６】区画形成された収容箱２の数は特に限定しないが、平均的には４個程度が現実的である。その場合は図面のように、各々の扇中心角が９０°となる。【０００７】排出孔３は単一の孔であってもよいが、図示したような小孔の集まりにした方が内容物の出具合を好ましくできる。【０００８】なお、中蓋Ｂの複数の排出孔３の近辺において、それぞれ異なる色柄ないし文字などの目印５を施し、これを上蓋Ｃの選択孔４から見ることによって、該当する箇所の収容箱２がいかなる内容物を収めたものであるかを一目で判ることができるようにする。その目印５は単なる色分けや模様わけであっても良いし、調味料名などを記入するラベル様のものであっても良い。【０００９】円筒容器本体Ａと中蓋Ｂとは密着状にほとんど固定されるが、中蓋Ｂと上蓋Ｃはほぼ密着状であるものの、上蓋Ｃを回すことができる程度に滑動可能状とする。その際、中蓋Ｂの排出孔３と上蓋Ｃの選択孔４の位置が重なるときにクリック感が与えられるように、中蓋Ｂの外面と上蓋Ｃの内面に小突起と小陥没の組合せを設けたりすることは自由である。
【考案の効果】
【００１０】本考案はこのような構成であるから、これを例えば数種の内容物に関わる振出し容器として用いる場合、内容物をそれぞれの収容箱２内に収容し、中蓋Ｂと上蓋Ｃをワンタッチで装着するのみで、使用する際には上蓋Ｃを所望する位置に回して必要な内容物をその都度選択し、直ちに振りかけることができる。さらに、中蓋Ｂがあることにより、振出し使用しないときは、選択孔４が振出し孔３の位置に重ならないように上蓋Ｃを回しておけば、倒しても中身がこぼれないような密閉状態に保つことができるなど、甚だ使い勝手の良い振出し容器にできるという効果がある。
【考案を実施するための最良の形態】
【００１１】直径及び高さ（深さ）が１０ｃｍ前後の透明プラスチック製円筒容器本体Ａにおいて、中央部に図面のような空洞軸６を設け、これより４枚の間仕切り板１を放射状に９０°毎に形成し、該容器本体Ａの上部には中蓋Ｂの下縁分の段差７Ａを形成するとともに、中蓋Ｂの下縁にも上蓋Ｃの下縁分の段差７Ｂを形成する。中蓋Ｂの上板部には、その下面中央に該空洞軸６内に収まる突起軸（図示せず）を設け、その周辺に、７個程度の小孔の集合からなる排出孔３をそれぞれ該容器本体Ａの仕切り板１によって区劃された小部屋の天井部に対応するように形成するとともに、その周りにそれぞれ別色のカラーラベルを貼着する。またその中蓋Ｂの上に被せる上蓋Ｃの天井部には、被せたときに排出孔３と重なる位置で該排出孔３の集合やカラーラベル等を囲むに足る大きさの選択孔４を１ケ所形成する。なお、中蓋Ｂの側外壁に８ケ所の小突起（図示せず）を４５°おきに設けるとともに、上蓋Ｃの側内壁の対応する箇所のうち１ケ所に小陥没を形成し、上蓋Ｃを回して選択孔４が中蓋Ｂの排出孔３のいずれかの上にきたとき、もしくは逆にその間の塞がった位置にきたときに、該小突起と小陥没が合致してクリック感とともに安定するようにする。なお本考案は上記に限定されるものでないことは言うまでもない。
【産業上の利用可能性】
【００１２】このような本考案の振出し容器は甚だ使い勝手が良くてニーズが大きく、構造もシンプルで低コストな量産も可能であるから、産業上の利用可能性は十分であるといえる。
【図面の簡単な説明】
【００１３】
【図１】本考案における円筒容器本体の見取図
【図２】本考案における中蓋の見取図
【図３】本考案における上蓋の見取図
【図４】本考案全体外観の見取図
【符号の説明】
【００１４】  １……間仕切り板
２……収容箱
３……排出孔
４……選択孔
５……目印
６……空洞軸
７Ａ，７Ｂ……段差
Ａ……円筒容器本体
Ｂ……中蓋
Ｃ……上蓋
【図１】
0003113373.tif 000003
【図２】
0003113373.tif 000004
【図３】
0003113373.tif 000005
【図４】
0003113373.tif 000006